(57)【要約】【課題】  投影装置が投影する画像の位置や範囲が変動する場合であっても、スクリーンが有する通信部の位置を示す情報を投影する。【解決手段】  投影装置は、スクリーンに画像を投影する投影手段と、前記スクリーンが有する通信部の位置を示す配置情報を取得する第１取得手段と、前記投影部によって投影された画像の前記スクリーンにおける位置または範囲を示す位置情報を取得する第２取得手段と、前記第１取得手段によって取得された前記配置情報と、前記第２取得手段によって取得された前記位置情報とに基づいて、前記通信部の場所を示す情報を合成した画像を前記投影手段に投影させる制御手段と、を有する。【選択図】  図１
2017198945.tif 000002
【特許請求の範囲】
【請求項１】
投影装置であって、
スクリーンに画像を投影する投影手段と、
前記スクリーンが有する通信部の位置を示す配置情報を取得する第１取得手段と、
前記投影手段によって投影された画像の前記スクリーンにおける位置または範囲を示す位置情報を取得する第２取得手段と、
前記第１取得手段によって取得された前記配置情報と、前記第２取得手段によって取得された前記位置情報とに基づいて、前記通信部の位置を示す情報を合成した画像を前記投影手段に投影させる制御手段と、
を有することを特徴とする投影装置。
【請求項２】
前記通信部は、ＮＦＣリーダライタであることを特徴とする請求項１に記載の投影装置。
【請求項３】
前記第２取得手段は、前記投影手段が画像を投影した前記スクリーンを撮影した撮影画像に基づいて、前記位置情報を取得することを特徴とする請求項１または２に記載の投影装置。
【請求項４】
前記第１取得手段は、前記投影手段が画像を投影した前記スクリーンを撮影した撮影画像に基づいて特定された識別記号に対応する前記位置情報を取得することを特徴とする請求項１乃至３の何れか１項に記載の投影装置。
【請求項５】
前記制御手段は、前記投影手段の投影倍率を変更した場合、前記通信部の位置を示す情報を合成する位置及び領域を変更することを特徴とする請求項１乃至４の何れか１項に記載の投影装置。
【請求項６】
前記制御手段は、前記スクリーンが有する複数の通信部のそれぞれの位置を示す情報を合成した画像を前記投影手段に投影させることを特徴とする請求項１乃至５の何れか１項に記載の投影装置。
【請求項７】
前記制御手段は、前記通信部が通信を開始したことを検出した場合、前記投影部に投影させる画像を切り替えることを特徴とする請求項１乃至６の何れか１項に記載の投影装置。
【請求項８】
前記制御手段は、前記通信部を介して取得した認証情報に対応するアクセス権限に応じたコンテンツを前記投影部に投影させることを特徴とする請求項１乃至６の何れか１項に記載の投影装置。
【請求項９】
スクリーンに画像を投影する投影手段を有する投影装置の制御方法であって、
前記スクリーンが有する通信部の位置を示す配置情報を取得する第１取得工程と、
前記投影手段によって投影された画像の前記スクリーンにおける位置または範囲を示す位置情報を取得する第２取得工程と、
前記第１取得工程において取得された前記配置情報と、前記第２取得工程において取得された前記位置情報とに基づいて、前記通信部の位置を示す情報を合成した画像を前記投影手段に投影させる工程と、
を有することを特徴とする投影装置の制御方法。
【請求項１０】
請求項９に記載の制御方法をコンピュータに実行させるためのプログラム。
【発明の詳細な説明】
【技術分野】
【０００１】
本発明は通信部を有するスクリーン上に画像を投影する投影装置に関する。
【背景技術】
【０００２】
近年、ＮＦＣ（Ｎｅａｒ  Ｆｉｅｌｄ  Ｃｏｍｍｕｎｉｃａｔｉｏｎ）等の近接無線通信が広く利用されている。特許文献１にはプロジェクタからの投影面であるスクリーンに近接無線通信のリーダライタを複数配置する技術が記載されている。また、特許文献１のプロジェクタは、近接無線通信で通信されるコンテンツを示す情報をリーダライタが配置された領域毎に投影する。
【先行技術文献】
【特許文献】
【０００３】
【特許文献１】特開２００８−２８１７７７号公報
【発明の概要】
【発明が解決しようとする課題】
【０００４】
特許文献１に記載の技術では、通信部であるリーダライタが配置された領域毎に正しく情報を投影するには、プロジェクタとスクリーンの距離や投影倍率が固定されている必要がある。即ち、特許文献１に記載の技術では、プロジェクタとスクリーンの距離や投影倍率が変動する場合、または、プロジェクタが投影する画像の位置や範囲が変動する場合、リーダライタが配置された領域毎に情報を正しく表示できないという問題が生じ得る。
【０００５】
本発明は、上述の課題に鑑みてなされた発明であって、投影装置が投影する画像の位置や範囲が変動する場合であっても、スクリーンが有する通信部の位置を示す情報を投影する。
【課題を解決するための手段】
【０００６】
本発明の投影装置は、スクリーンに画像を投影する投影手段と、前記スクリーンが有する通信部の位置を示す配置情報を取得する第１取得手段と、前記投影部によって投影された画像の前記スクリーンにおける位置または範囲を示す位置情報を取得する第２取得手段と、前記第１取得手段によって取得された前記配置情報と、前記第２取得手段によって取得された前記位置情報とに基づいて、前記通信部の場所を示す情報を合成した画像を前記投影手段に投影させる制御手段と、を有する。
【発明の効果】
【０００７】
本発明によれば、投影装置が投影する画像の位置や範囲が変動する場合であっても、スクリーンが有する通信部の位置を示す情報を投影することができる。
【図面の簡単な説明】
【０００８】
【図１】表示システムの構成を示す図である。
【図２】表示システムの処理シーケンスを示す図である。
【図３】表示システムの外観を示す図である。
【図４】スクリーンを示す図である。
【図５】スクリーン上に投影された画像の位置調整を示す図である。
【図６】個人認証用情報の表示を示す図である。
【図７】コンテンツ選択用表示を示す図である。
【図８】スクリーンと投影画像の位置を示す図である。
【図９】スクリーン選択を行う表示を示す図である。
【発明を実施するための形態】
【０００９】
図１は本実施形態における表示システムの構成を示す。表示システムは、画像を投影するためのスクリーン１１０と、画像を投影する投影装置であるプロジェクタ１２０とを有する。スクリーン１１０は、ＮＦＣリーダライタ１１１、１１２及び１１３を有する。ＮＦＣリーダライタ１１１、１１２及び１１３はスクリーン１１０の裏面に配置されたＮＦＣリーダライタであり、ＮＦＣに準拠した通信を行う通信部である。スクリーン１１０は、ＮＦＣリーダライタ１１１、１１２及び１１３の通信により取得した情報をプロジェクタ１２０に通知するための情報を生成する制御信号生成部１１４を有する。
【００１０】
プロジェクタ１２０は、スクリーン１１０への投影画像にＮＦＣリーダライタ１１１、１１２及び１１３夫々の位置を示すＮＦＣガイド表示位置の表示を行うか否かを設定するためのＮＦＣ表示設定部１２１を有する。１２２はＮＦＣ表示設定部１２１の設定に従いＮＦＣガイド表示位置を示す画像を制御するためのＮＦＣ表示制御部である。１２３はスクリーン１１０およびスクリーン１１０への投影画像を撮像するための撮像部である。１２４は撮像部１２３により撮像された画像を解析し、スクリーンと投影画像の相対的位置を把握するための撮像画像解析部である。１２５はスクリーン１１０内のＮＦＣリーダライタ１１１、１１２及び１１３が配置されている配置情報をはじめとするスクリーン固有の情報を設定するためのスクリーン情報設定部である。１２６は、撮像画像解析部１２４及びスクリーン情報設定部１２５からの情報を基にＮＦＣリーダライタ１１１、１１２及び１１３夫々の位置を示すＮＦＣガイド表示位置の画像を生成するＮＦＣガイド表示データ生成部である。１２７はプロジェクタ１２０が投影する画像を保持するためのコンテンツデータ保持部である。１２８はコンテンツデータ保持部１２７からのコンテンツ画像とＮＦＣガイド表示データ生成部１２６からのＮＦＣガイド表示画像をＮＦＣ表示制御部１２２からの制御信号を基に合成し、投影画像を合成する投影画像合成部である。１２９は投影画像合成部１２８が出力した投影画像を投影するための投影部である。
【００１１】
図３は本実施形態における表示システムの外観を示した図である。プロジェクタ１２０が画像を投影するスクリーン１１０にはＮＦＣリーダライタ１１１、１１２及び１１３が配置されている。携帯情報端末１５０と、ＮＦＣリーダライタ１１１、１１２及び１１３のうちのいずれかとが、近接することにより、近接無線通信は開始される。例えばＮＦＣリーダライタ１１１と携帯情報端末１５０とが近接すると、携帯情報端末１５０は、ＮＦＣリーダライタ１１１に携帯情報端末１５０内に記憶される個人認証情報を送信する。また、この場合、スクリーン１１０は、携帯情報端末１５０が通信相手としてＮＦＣリーダライタ１１１を選択したことをプロジェクタ１２０に通知する。プロジェクタ１２０は、この通知を受信したことによって、投影するコンテンツを切り替えることができる。
【００１２】
図４はスクリーン１１０を示す図である。スクリーン１１０には、ＮＦＣリーダライタ１１１、１１２及び１１３が配置されている。また、スクリーン１１０には、スクリーン１１０を識別するための識別記号１１５が付いている。なお、識別記号１１５は、マーカや文字列であってよい。
【００１３】
以上の構成を有する表示システムの動作について説明する。図２は、表示システムの処理シーケンスを示す図である。まずＳ２０１においてプロジェクタ１２０のスクリーン情報設定部１２５はスクリーン情報の設定を行う。プロジェクタ１２０のスクリーン情報設定部１２５は、スクリーン内のＮＦＣリーダライタ１１１、１１２及び１１３の位置を示す配置情報を取得する。また、スクリーン情報設定部１２５は、スクリーン１１０の識別記号１１５とスクリーンの識別記号１１５の位置を示す情報を取得する。スクリーン情報設定部１２５は、これらの情報をユーザからの入力により取得してもよいし、予め記憶装置に記憶されている情報を取得してもよいし、スクリーン１１０から取得してもよい。ＮＦＣリーダライタ１１１、１１２及び１１３の配置情報、スクリーンの識別記号１１５の位置を示す情報は、例えばスクリーン内の位置座標及び大きさを示す情報である。
【００１４】
次にＳ２０２において、プロジェクタ１２０は、投影を行うスクリーンの選択を行う。Ｓ２０２において撮像部１２３は、スクリーン１１０を撮像し、撮像画像を撮像画像解析部１２４に出力する。撮像画像解析部１２４は、スクリーン情報設定部１２５から取得したスクリーンの識別記号に関する情報を基に、撮像画像を解析して検出されたスクリーンの識別記号からスクリーンを特定する。そしてＮＦＣガイド表示データ生成部１２６に特定したスクリーンのＮＦＣリーダライタ配置情報を出力する。なお、プロジェクタ１２０のスクリーン情報設定部１２５は、ＮＦＣリーダライタの配置情報が登録されたスクリーンのリストからユーザ操作に基づいて利用するスクリーンを選択してもよい。図９はプロジェクタ１２０が投影するスクリーンのリストの表示例である。表示されたスクリーンのリストのうち、ここではたとえばスクリーンＳＢ１１２１を選択されたとすると、スクリーン情報設定部１２５はＮＦＣガイド表示データ生成部１２６にスクリーンＳＢ１１２１のＮＦＣリーダライタ配置情報を出力する。
【００１５】
次にＳ２０３においてプロジェクタ１２０は、スクリーン１１０への投影画像の表示位置調整を行う。図５はスクリーン１１０に対する投影画像１１６の表示位置調整を示した図である。投影画像１１６はスクリーン１１０内にあり、ＮＦＣリーダライタ１１１、１１２及び１１３を含む必要がある。したがって、プロジェクタ１２０は、投影画像１１６の中心をスクリーン１１０の中心付近に投影する制御を行う。また、スクリーン１１０の識別記号１１５は投影画像１１６と重ならないように投影画像１１６の外側にあるのが望ましい。したがって、プロジェクタ１２０は、投影画像１１６と識別記号１１５とが重ならないように投影の制御を行う。
【００１６】
撮像画像解析部１２４は撮像部１２３から入力した撮像画像からスクリーン１１０の投影可能範囲を検出し、投影画像１１６の中心とスクリーン１１０の投影可能範囲の中心のずれ量を算出する。そして撮像画像解析部１２４は、投影部１２９に投影画像のずれ量を出力する。投影部１２９は投影画像１１６を入力されたずれ量分だけずらして投影する。
なお、投影画像１１６の位置調整は物理的にスクリーン１１０またはプロジェクタ１２０を動かすことによって行われてもよい。
【００１７】
投影画像１１６の位置調整の後、Ｓ２０４において撮像部１２３は、スクリーン１１０と投影画像１１６を撮像し、撮影画像を撮像画像解析部１２４に出力する。撮像画像解析部１２４は撮像部１２３の出力した撮像画像からスクリーン１１０に対する投影画像１１６の相対位置情報を算出する。相対位置情報は、スクリーン１１０における投影画像１１６の位置または範囲を示す情報である。なお、プロジェクタ１２０は、ユーザから入力された距離及び投影倍率から、スクリーン１１０に対する投影画像１１６の相対位置情報を取得してもよい。ＮＦＣガイド表示データ生成部１２６は、相対位置情報とＳ２０２において選択されたスクリーンのＮＦＣリーダライタ１１１、１１２及び１１３の配置情報から投影画像１１６に対するＮＦＣガイド表示位置及び領域を決定する。
【００１８】
次にプロジェクタ１２０は、Ｓ２０５においてＮＦＣガイド表示のＯＮ／ＯＦＦ設定を行う。ＮＦＣ表示設定部１２１は、ＮＦＣガイド表示を表示するか否かを決定する。また、ＮＦＣ表示設定部１２１は、ＮＦＣガイド表示を、常に表示するか、ＮＦＣリーダライタ１１１、１１２または１１３から入力要求がある時だけ表示するか、常に表示しないかを決定する。Ｓ２０５における設定は、ユーザ操作に従って行われる。ＮＦＣ表示設定部１２１はＮＦＣ表示制御部１２２にＮＦＣ表示設定を出力し、ＮＦＣ表示制御部１２２は制御信号を投影画像合成部１２８に出力する。
【００１９】
次にＳ２０６においてプロジェクタ１２０のコンテンツデータ保持部１２７は、投影するコンテンツデータを取得する。コンテンツデータ保持部１２７は投影するコンテンツデータを投影画像合成部１２８に出力する。
【００２０】
次にＳ２０７において投影画像合成部１２８は、スクリーン１１０に投影する投影画像を合成する。ＮＦＣ表示制御部１２２からＮＦＣガイドの表示を決定する制御信号を受信した場合、投影画像合成部１２８はコンテンツデータ保持部１２７から取得したコンテンツデータと、ＮＦＣガイド表示データ生成部１２６からのＮＦＣガイド表示データとを合成する。投影画像合成部１２８は、投影画像に対して位置合わせさせたＮＦＣガイド表示データを表示するかどうかを、ＮＦＣ表示制御部１２２からの制御信号により決定する。投影画像合成部１２８は、コンテンツデータ上にＮＦＣガイド表示データ生成部１２６から指定された位置に、指定された大きさのＮＦＣガイド表示データを合成する。投影画像合成部１２８は、合成したデータを投影部１２９に出力する。なお、ＮＦＣガイド表示データは、ここでは図６に示すように個人認証を行うことを示すデータである。
【００２１】
Ｓ２０８において投影部１２９は、コンテンツデータとＮＦＣガイド表示データが合成された投影画像をスクリーン１１０に投影する。Ｓ２０９においてスクリーン１１０に表示されるＮＦＣガイド表示データに従ってユーザが携帯情報端末１５０をＮＦＣリーダライタ１１１に近接されたとする。携帯情報端末１５０は、ＮＦＣリーダライタ１１１に個人認証用の個人認証情報を送信する。
【００２２】
Ｓ２１０においてスクリーン１１０の制御信号生成部１１４は、ＮＦＣリーダライタ１１１を介して取得した携帯情報端末１５０からの個人認証情報を、プロジェクタ１２０に転送する。Ｓ２１１においてプロジェクタ１２０の個人情報管理部１３１は、スクリーン１１０から受信した携帯情報端末１５０の個人認証情報と、個人情報保持部１３０にあらかじめ保持された情報とを照合する。個人情報管理部１３１は、照合結果により携帯情報端末１５０の利用者を認証する。また、個人情報管理部１３１は認証結果に応じた携帯情報端末１５０の利用者のコンテンツデータへのアクセス権限の情報をコンテンツデータ保持部１２７に出力する。
【００２３】
Ｓ２１２においてコンテンツデータ保持部１２７は、取得したコンテンツデータへのアクセス権限の情報に応じたＮＦＣガイド表示データを投影画像合成部１２８に出力する。投影画像合成部１２８は、新たに取得したＮＦＣガイド表示データをコンテンツデータに合成する。ここでは図７に示すように表示するコンテンツの選択を行うためのＮＦＣガイド表示データが合成される。図７において、ＮＦＣリーダライタ１１１と通信を開始すると、ファイル名Ａが投影されることを示す。また、図７において、ＮＦＣリーダライタ１１２と通信を開始すると、ファイル名Ｂが投影されることを示す。また、図７において、ＮＦＣリーダライタ１１３と通信を開始すると、ファイル名Ｃが投影されることを示す。ここでファイル名Ａ、Ｂ、Ｃは携帯情報端末１５０の利用者にアクセス権のあるコンテンツデータである。
【００２４】
Ｓ２１３において投影部１２９は、コンテンツデータとコンテンツ選択用ＮＦＣガイド表示データが合成された投影画像をスクリーン１１０に投影する。Ｓ２１４においてユーザは携帯情報端末１５０をスクリーン１１０上からＮＦＣリーダライタ１１２に近接させるとする。ＮＦＣリーダライタ１１２は、携帯情報端末１５０と通信を開始する。ＮＦＣリーダライタ１１２は、携帯情報端末１５０と通信を開始したことを制御信号生成部１１４に通知する。
【００２５】
Ｓ２１５において制御信号生成部１１４は、ＮＦＣリーダライタ１１２から通信を開始したことの通知に基づいて、コンテンツデータ保持部１２７にファイルＢを選択したことを示す情報を送信する。Ｓ２１６においてコンテンツデータ保持部１２７は制御信号生成部１１４からの情報に基づいてファイルＢを選択し、投影画像合成部１２８にファイルＢを出力する。Ｓ２１７において投影部１２９は、ファイルＢが示すコンテンツデータをスクリーン１１０に投影する。
【００２６】
以上説明したようにプロジェクタ１２０は、撮像部１２３でスクリーン１１０を撮像して解析することにより、識別記号からスクリーン１１０を特定できる。また、プロジェクタ１２０は、撮像部１２３でスクリーン１１０を撮像して解析することにより、スクリーン１１０に投影されている画像の位置や範囲を取得する。そして、プロジェクタ１２０は、特定したらスクリーン１１０に対応するＮＦＣリーダライタの配置情報を取得する。プロジェクタ１２０は、ＮＦＣリーダライタの配置情報と、スクリーン１１０に投影されている画像の位置や範囲と基づいて、投影する画像にＮＦＣリーダライタの位置を示すＮＦＣガイド表示を合成して投影する。このようにすることで、プロジェクタ１２０がスクリーン１１０に投影する画像の位置や範囲が変動する場合であっても、スクリーン１１０が有するＮＦＣリーダライタの位置を示す情報を投影することができる。
【００２７】
続いて、Ｓ２１７においてコンテンツデータを表示した後に投影倍率を変更する場合に着いて説明する。ユーザは、スクリーン１１０に表示される投影画像の一部を拡大して表示させるため、プロジェクタ１２０の投影倍率を変更する。
【００２８】
この場合、ＮＦＣガイド表示も併せて拡大表示されてしまい、ＮＦＣリーダライタが配置されているスクリーン上の位置とずれてしまう。また、ＮＦＣガイド表示は、ＮＦＣリーダライタの大きさも大きく表示されてしまうことになる。図８に投影倍率を変更した後のスクリーン１１０に表示される画像の表示例を示す。なお、図８（ａ）において７１０は投影画像を示し、７１１〜７１３はＮＦＣガイド表示を示す。
【００２９】
撮像部１２３は、投影倍率を変更した後の画像を投影した後に、スクリーン１１０を撮影する。撮像画像解析部１２４は撮像部１２３の出力した撮像画像からスクリーン１１０に対する投影画像７１０の相対位置情報を算出し、ＮＦＣガイド表示データ生成部１２６に出力する。ＮＦＣガイド表示データ生成部１２６は相対位置情報とＮＦＣリーダライタ１１１、１１２及び１１３の配置情報から投影画像７１０に対するＮＦＣガイド表示位置を決定する。決定した表示位置及び領域にＮＦＣガイド表示を合成した合成画像を投影部１２９は投影する。図８（ｂ）は、投影倍率を変更した後に再度ＮＦＣガイド表示を調整した場合の表示例である
以上説明したように投影倍率を変えても、スクリーンと投影画像を撮像してＮＦＣガイド表示を補正して再合成することにより正しいＮＦＣの配置と一致させることができる。
【００３０】
（その他の実施形態）
本発明は上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３１】
１１０  スクリーン
１１１、１１２、１１３  ＮＦＣリーダライタ
１２０  プロジェクタ
【図１】
2017198945.tif 000003
【図２】
2017198945.tif 000004
【図３】
2017198945.tif 000005
【図４】
2017198945.tif 000006
【図５】
2017198945.tif 000007
【図６】
2017198945.tif 000008
【図７】
2017198945.tif 000009
【図８】
2017198945.tif 000010
【図９】
2017198945.tif 000011